(57)【特許請求の範囲】
【請求項１】
少なくとも１つの携帯型電子装置（１）への接続用のケーブルコネクタ（６、１０、１００）であって、少なくとも１つのケーブル（４、６２）と、２つの端部（２０Ａ、２０Ｂ、２００Ａ、２００Ｂ）を持つ弾性のある筒体状の少なくとも１つのケーブルスリーブ（２０、６０、２００）と、少なくとも２つのケーブル摺動手段（３０、３００）とを備え、前記ケーブルは前記スリーブとその２つの端部と前記摺動手段とを通るように配置され、前記スリーブは前記ケーブルの動きを少なくとも一方向に限定するように構成され、
前記ケーブルコネクタは、ケーブル長の調節を可能にするために長さ調節が可能に構成されていて、
前記摺動手段（３０、３００）は、各端部（２０Ａ、２０Ｂ；２００Ａ、２００Ｂ）に開口部を有する前記ケーブルスリーブ（２０、６０、２００）に取り付けられ、
少なくとも１つの摺動手段（３０、３００）が前記ケーブルスリーブ（２０、６０、２００）の一端部に取り付けられ、
各摺動手段（３０、３００）は、前記少なくとも１つの摺動手段が前記ケーブルスリーブのもう一方の端部から引き離されたときに前記ケーブルスリーブを長手方向に伸張できるとともに、前記ケーブルの端部が互いに引き離されたときに前記ケーブルスリーブを長手方向に短縮できる滑車（ｔａｃｋｌｅ）の機能を有することを特徴とする、ケーブルコネクタ（６、１０、１００）。
【請求項２】
各摺動手段は前記ケーブルスリーブ（２０、６０、２００）の一端部に取り付けられる、請求項１に記載のケーブルコネクタ（６、１０、１００）。
【請求項３】
各摺動手段（３０、３００）はリングである、請求項１に記載のケーブルコネクタ（６、１０、１００）。
【請求項４】
前記ケーブルは、各端部（２０Ａ、２０Ｂ；２００Ａ、２００Ｂ）に１つずつ、２つのコネクタ（４０、５０）を有し、少なくとも一方のコネクタは少なくとも１つの摺動手段（３０、３００）を備える、請求項１または２に記載のケーブルコネクタ（６、１０、１００）。
【請求項５】
各摺動手段（３０、３００）は前記ケーブルスリーブの開口部より大きい、請求項１に記載のケーブルコネクタ（６、１０、１００）。
【請求項６】
前記ケーブルコネクタはヘッドセット（６２、６３）を前記携帯型電子装置（１）に接続するように構成されている、請求項１に記載のケーブルコネクタ（６、１０、１００）。
【請求項７】
前記ヘッドセット（６２、６３）は前記ヘッドセットの少なくとも１つのケーブル（６２）の動きを少なくとも一方向に限定するための追加のケーブルスリーブ（６０）を備える、請求項６に記載のケーブルコネクタ（６、１０、１００）。
【請求項８】
前記ヘッドセットのケーブルスリーブ（６０）は、一方の端部（６１）において前記ヘッドセット（６２、６３）のコネクタ端部に固定的に取り付けられ、前記スリーブのもう一方の端部と共に前記ヘッドセットの前記イヤフォン（６３）に向けて伸長するように構成されている、請求項１に記載のケーブルコネクタ（６、１０、１００）。
【請求項９】
前記ケーブルスリーブ（２０、６０、２００）は少なくとも２つの別個の溝／リードスルー／貫通接続路を備え、各溝は、各溝／単一回路線に複数のケーブルが通されないように、前記ケーブル（４）のための１つの電路を形成する、請求項１に記載のケーブルコネクタ（６、１０、１００）。
【請求項１０】
少なくとも１つのコネクタ（４０、５０）は少なくとも１つの一体化された摺動手段（３０、３００）を有する、請求項４に記載のケーブルコネクタ（６、１０、１００）。
【請求項１１】
少なくとも１つのコネクタ（４０、５０）は少なくとも１つの摺動手段（３０、３００）のための一体化された取り付け部を有する、請求項４に記載のケーブルコネクタ（６、１０、１００）。
【請求項１２】
少なくとも１つのケーブル（４、６２）に連結されるように構成されているケーブルスリーブ（２０、６０、２００）であって、前記ケーブルスリーブと前記ケーブルとは、連結後に、請求項１から１１の何れか１項に記載のケーブルコネクタ（６、１０、１００）を形成する、ケーブルスリーブ（２０、６０、２００）。
【発明の詳細な説明】
【技術分野】
【０００１】
本発明は、ケーブルコネクタに関する。このケーブルコネクタは、携帯型電子装置と併用される付属品として好適に使用されうる。
【背景技術】
【０００２】
今日、携帯型電子装置との併用を目的とした各種の付属品が存在する。例えば、ヘッドセット、イヤフォン、携帯型ラウドスピーカなどの携帯型付属品を携帯電話機、ラップトップ、スマートフォン、通信機、カメラ、デジタルオーディオプレーヤ（例えば、ＭＰ３プレーヤまたはアイポッド（ｉＰｏｄ（登録商標）））などの携帯型電子装置に接続するための、およびこれらの携帯型電子装置を他の装置、例えば、据え置き型ラウドスピーカまたはコンピュータ、据え置き型およびラップトップの両方、または他の電子装置、例えば、テレビジョン受信機、モニター、または電子写真立てなどの画像投影機または映写機など、に接続するための、ケーブルおよびケーブルコネクタが存在する。
【０００３】
ケーブルおよびケーブルコネクタの絡まりを防止すると共に、ケーブルをよりスタイリッシュにし、取り扱い時の実用性を高めるためのケーブル保護装置、例えばコンピュータ内のケーブル用のケーブルスリーブ、または例えば家庭内のテレビジョン受信機、ホームシネマ、およびオーディオシステムなど、さまざまな電子機器へのケーブル、例えば電源ケーブル、用のケーブルスリーブも存在する。市販されているケーブルの一部の例は、ＵＳＢ、ファイヤーワイヤー、電源ケーブル、および電子装置充電用ケーブルである。
【０００４】
このように、現在では、電子装置、特に携帯型電子装置との併用を目的としたさまざまなケーブルおよびケーブルコネクタが数多く存在する。このため、少なくとも１つの携帯型電子装置と、この装置に接続された、またはこの装置に接続するのに適した、探したり取り扱うべき少なくとも１つのケーブルとを有するユーザにとっては、複数の問題が発生しうる。これは、ユーザが携帯型電子装置をケーブルと共に携行することを望む場合は、特にその携帯型電子装置および／またはケーブルをポケット、ハンドバッグ、または他の同様の収納場所に入れるとき、およびその装置および／またはケーブルをそこから取り出すときに、ケーブル自体が絡まり、および／または複数のケーブルを用いている場合は他のケーブルと絡まり、および／または他の隣接する物品、特に細長い物品、例えばキーホルダー、ストラップ、または同様の物品に絡まるため、ユーザを苛立たせることもありうる。
【０００５】
さらに、ユーザがケーブルの絡みを解こうとして力を入れ過ぎてケーブルを破壊することもあり、新しいケーブルおよびケーブルコネクタの購入が必要になりうるので、費用の増加を招きうる。最悪の事態では、乱暴に引っ張られ過ぎたケーブルが電子装置に接続されていることもあり、この電子装置、特にそのケーブルが差し込まれているソケット、が壊れるか、または少なくとも損傷して、ソケットとケーブルプラグとの間の接触の弛み、または接触不良、あるいは無接触さえ引き起こしうる。この場合、電子装置の修理ばかりか交換さえ必要になり、少なくとも実用上の問題を招き、最悪の事態において新しい電子装置の購入が必要になると、費用の増加を招く。
【発明の概要】
【課題を解決するための手段】
【０００６】
したがって、上記および下記の説明を念頭に置き、本発明の一側面は、上で特定した従来技術の１つ以上の欠陥および欠点を個々に、または何れかの組み合わせで、軽減、緩和、または除去しようとする、改良された装置を提供することである。
【０００７】
本発明は、添付の独立請求項によって規定される。本発明のさまざまな有利な実施形態は、添付の従属請求項によって、並びに以下の説明および添付図面によって、説明されている。
【０００８】
別の側面は、少なくとも１つの電子装置への接続用のケーブルコネクタに関する。このケーブルコネクタは、少なくとも１つのケーブルと、少なくとも１つのケーブルスリーブと、少なくとも２つの摺動手段とを備え、ケーブルはスリーブと摺動手段とを通るように配置され、スリーブはケーブルの動きを少なくとも一方向に限定するように構成されている。
【０００９】
別の側面は、ケーブル長の調節を可能にするために長さ調節が可能に構成されているケーブルコネクタに関する。
【００１０】
別の側面は、開口部を各端に有するケーブルスリーブに摺動手段が取り付けられたケーブルコネクタに関する。
【００１１】
別の側面は、少なくとも１つの摺動手段がケーブルスリーブの一端に取り付けられたケーブルコネクタに関する。
【００１２】
別の側面は、各摺動手段がケーブルスリーブの一端に取り付けられたケーブルコネクタに関する。
【００１３】
別の側面は、各摺動手段が滑車（ｔａｃｋｌｅ）の機能を有するケーブルコネクタに関する。
【００１４】
別の側面は、各摺動手段がリングであるケーブルコネクタに関する。
【００１５】
別の側面は、ケーブルが、各端に１つずつ、２つのコネクタを有し、少なくとも一方のコネクタが少なくとも１つの摺動手段を備える、ケーブルコネクタに関する。
【００１６】
別の側面は、各摺動手段がケーブルスリーブの開口部より大きい、ケーブルコネクタに関する。
【００１７】
別の側面は、ケーブルコネクタが携帯型電子装置との併用を目的としたケーブルコネクタに関する。
【００１８】
別の側面は、ケーブルコネクタがヘッドセットを携帯型電子装置に接続するように構成されている、ケーブルコネクタに関する。
【００１９】
別の側面は、ヘッドセットがヘッドセットの少なくとも１つのケーブルの動きを少なくとも一方向に限定するための追加のケーブルスリーブを備える、ケーブルコネクタに関する。
【００２０】
別の側面は、ヘッドセットのケーブルスリーブが一方の端部においてヘッドセットのコネクタ端に固定的に取り付けられ、スリーブのもう一方の端部と共にヘッドセットのイヤフォンに向けて延長するように構成されている、ケーブルコネクタに関する。
【００２１】
別の側面は、携帯型電子装置との併用を目的としたケーブルコネクタであって、この携帯型電子装置は、移動無線端末、携帯電話機、セルラー方式携帯電話機、ポケットベル、通信機、スマートフォン、携帯情報端末（ＰＤＡ：Ｐｅｒｓｏｎａｌ  Ｄｉｇｉｔａｌ  Ａｓｓｉｓｔａｎｔ）、電子手帳、コンピュータ、オーディオプレーヤ、またはデジタルカメラを含むグループから選択される装置である、ケーブルコネクタに関する。
【００２２】
別の側面は、ケーブルスリーブが内在／一体化された弾性／復元力を有する、ケーブルコネクタに関する。
【００２３】
別の側面は、ケーブルスリーブが可撓性材料から成る、ケーブルコネクタに関する。
【００２４】
別の側面は、ケーブルスリーブが皮革、織物、またはネオプレン（Ｎｅｏｐｒｅｎｅ（登録商標））材料から成る、ケーブルコネクタに関する。
【００２５】
別の側面は、ケーブルスリーブが少なくとも２つの別個の溝／リードスルー／貫通接続路を備え、（複数のケーブルが各溝／単一回路線を通らないように）各溝がケーブル用の１つの電路を形成する、ケーブルコネクタに関する。
【００２６】
別の側面は、少なくとも１つのコネクタが少なくとも１つの一体化された摺動手段を有する、ケーブルコネクタに関する。
【００２７】
別の側面は、少なくとも１つのコネクタが少なくとも１つの摺動手段のための一体化された取り付け部を有する、ケーブルコネクタに関する。
【００２８】
別の側面は、少なくとも１つのケーブルに連結されるように構成されているケーブルスリーブであって、このケーブルスリーブとケーブルとは、連結後、先行請求項の何れか１項に記載のケーブルコネクタを形成する、ケーブルスリーブに関する。
【００２９】
本発明の一部の実施形態は、２つの目的を果たすケーブルコネクタの形態の付属品を提供する。このケーブルコネクタは、ケーブル自体の絡まり、あるいは他のケーブルまたは物品、例えば鍵、キーホルダーなど、との絡まりを防止すると同時に、個別の長さを実現するためにケーブルの長さ調節を可能にする。したがって、本発明の一部の実施形態によるケーブルコネクタは、２つの機能を有する高性能な2 in 1装置としての役目を果たすことができる。すなわち、このケーブルコネクタはケーブルの絡まりを防止する一方で、ケーブルの長さ調節を可能にする。本発明の一部の実施形態に伴う利点の１つは、２つの異なる目的を果たすために必要なケーブルコネクタが１つだけであるため、探したり取り扱うべき付属品の数が減ることである。したがって、付属品の購入に要する総費用を減らしうる。さらに、ケーブルが絡まる、および／または動きが取れなくなることがないため、携帯型電子装置およびその接続部などの各種物品を損傷する危険を抑えうる。一部の実施形態において、ケーブルコネクタはケーブルとケーブルスリーブとの組み合わせである必要はない。すなわち、このような場合は、ケーブルスリーブを携帯型電子装置用の単独の付属品として販売および使用することも、あるいはユーザが追加のケーブルスリーブを購入する可能性、あるいは損傷した、または欠陥のある、旧ケーブルスリーブを交換する可能性、を高めるために単独のスペア部品として販売することも可能であろう。
【００３０】
本発明のさらなる目的、特徴、および利点は以下の本発明の実施形態の詳細な説明から明らかになるであろう。次に、添付図面を参照しながら本発明の実施形態をより詳細に説明する。
【図面の簡単な説明】
【００３１】
【図１】本発明の一実施形態によるケーブルコネクタが収縮状態にあるときのケーブルコネクタを示す図。
【図２】図１のケーブルコネクタが延長／伸長状態にあるときのケーブルコネクタを示す図。
【図３】本発明の別の実施形態によるケーブルコネクタが収縮状態にあるときのケーブルコネクタを示す図。
【図４】図３のケーブルコネクタが伸長状態にあるときのケーブルコネクタを示す図。
【図５】図１から図４に示すケーブルコネクタのさらに別の実施形態およびこのケーブルコネクタと併用される付属品の斜視図。
【図６】図１から図５に示すケーブルコネクタの使用例として、ケーブルコネクタによってイヤフォンの形態の携帯型付属品または据え置き型コンピュータのどちらか、またはイヤフォンおよびコンピュータの両方、に必要に応じて接続される携帯型電子装置を模式的に示す斜視図。
【図７】図１から図６に示すケーブルコネクタの別の実施形態の別の断面を示す図。
【発明を実施するための形態】
【００３２】
添付図面を参照しながら、本発明の一側面をより詳細に以下に説明する。図１〜図７は、本発明の複数の実施形態によるケーブルコネクタ１０、１００の異なった図を示す。ただし、この発明は、多くの異なった形態で具現化可能であり、本願明細書に記載の実施形態に限定されると解釈されるべきではない。むしろ、これらの実施形態は、この開示が完全かつ完成しており、本発明の範囲を当業者に十分に伝えるように、提供されている。全体を通して、同様の番号は同様の要素を指す。
【００３３】
開示されている各実施形態によるケーブルコネクタ１０、１００は、携帯型電子装置１（図６を参照）との併用を目的としていることが好ましいが、必ずしもそうである必要はない。携帯型電子装置は、何れの携帯型電子装置でもよく、例えば、移動無線端末、携帯電話機、セルラー方式携帯電話機、ポケットベル、通信機、スマートフォン、携帯情報端末（ＰＤＡ）、電子手帳、コンピュータ２、ＭＰ３プレーヤまたはアイポッド（登録商標）などのデジタルオーディオプレーヤ、デジタルカメラ、電子写真立て、テレビジョン受信機、ホームシネマ、または他の何れか適した画像投影機または映写機などでもよい。
【００３４】
ケーブルコネクタ１０、１００は、ケーブル４を少なくとも部分的に包囲する管状の可撓性本体の形態の単一の細長い本体２０、２００を備える。各図から分かるように、単一の細長い中空の本体２０、２００は、各端に開口部を有し、この端部開口部の各縁部に少なくとも１つの貫通孔２１、２１０を備える。管またはケーブルスリーブ２０、２００は、少なくとも１つの摺動手段３０、３００を各端部開口部に備える。各実施形態（図１〜図５に図示）において、摺動手段３０、３００はそれぞれ対応する貫通孔２１、２１０に導入されることによって、ケーブルスリーブ２０、２００の端部開口部の周囲の縁線に装着される。１つの実施形態において、少なくとも一方の摺動手段３００は、ケーブルスリーブの一方の端部２００Ｂにおいてケーブルスリーブ２００に連結され、もう一方の摺動手段はケーブルスリーブのもう一方の端部２００Ａに連結または一体化される。各実施形態の摺動手段３０、３００は、ケーブルスリーブ２０、２００の端部開口部より大きく、摺動手段同士を容易に引き離せるようにグリップを形成する。摺動手段３０は、一部の実施形態において、ケーブルスリーブが可撓性の織物から成る場合は、縫い付けることによってケーブルスリーブの端部開口部に取り付けてもよく、あるいは引き離すときに十分な握り領域を提供する、ケーブルスリーブの端部開口部に一体化された突起でもよい。
【００３５】
ケーブルコネクタ１０、１００は、コネクタを各端に有する任意の長さのケーブル４を備える。一方のコネクタ４０は第１の端部にあり、もう一方のコネクタ５０は第２の端部５０にある。ケーブルスリーブ２０、２００をケーブルの全長に沿って延在させてもよいが、２つの接続プラグ４０および５０がケーブルスリーブの各端に露出されるようにケーブルスリーブ２０、２００はケーブル長の少なくとも一部に沿って延在することが好ましい。これにより、各プラグを容易に掴んで電子機器への接続または電子機器からの取り外しを行うことができる。これらのコネクタは、何れか公知の型のコネクタでよく、例えばＵＳＢでもよい。
【００３６】
図１から図２に示されている第１の実施形態のケーブルコネクタ１０とケーブル４とを連結するには、最初に第１のコネクタ４０または第２のコネクタ５０をケーブルスリーブ２０の第１の端部２０Ａにおいて第１の開口部に導入し（１回目）、それをケーブルスリーブの全長に貫通させ、ケーブルスリーブの第２の端部２０Ｂにおいて第２の開口部から引き出す。次に、ケーブルスリーブを通したコネクタ４０または５０をケーブルスリーブのこの第２の端部２０Ｂにおいて摺動手段３０に挿入し、第２の開口部を通して引き戻し、ケーブルスリーブの全長に沿って貫通させ（２回目）、第１のケーブルスリーブの端部２０Ａにおいて第１の開口部から引き出し、ケーブルスリーブのこの第１の端部において第２の摺動手段３０に挿入し、ケーブルスリーブの第１の端部２０Ａにおいてケーブルスリーブの第１の開口部を通し、ケーブルスリーブの全長に沿って貫通させ（３回目）、ケーブルスリーブの第２の端部２０Ｂにおいて第２の開口部から再度引き出す。
【００３７】
図３から図５には、ケーブルコネクタ１００の別の実施形態が示されている。ここで、ケーブルコネクタ１００とケーブル４とは、上記実施形態のケーブルコネクタ１０と同じ方法で連結される。これらの２つの実施形態間の唯一の違いは、摺動手段３００の一方がコネクタ４０または５０に装着されるか、またはその一部を構成するように、この摺動手段３００がコネクタ４０または５０の一方に連結または一体化される点であるが、連結または一体化されるコネクタはどちらのコネクタでもよい。すなわち、対応するケーブルスリーブの端部２００Ａまたは２００Ｂもこの摺動手段によって一方のコネクタ４０または５０に間接的に装着される。このケーブルコネクタ１００は、原則として上記のケーブルコネクタ１０と同じように機能するが、長さ調節時にケーブルスリーブの両端２０Ａおよび２０Ｂがケーブルに沿って移動する上記のケーブルコネクタ１０に比べ、この後者の実施形態においては、一方のコネクタ４０または５０に固定されたケーブルスリーブの端部２００Ａまたは２００Ｂは、ケーブル４の引き込み時および引き出し時にケーブル４に沿って移動しない。
【００３８】
別の実施形態のケーブルコネクタ６が図５および図６に示されている。この実施形態のケーブルコネクタは、ケーブルコネクタ１０または１００の何れかと追加のケーブルスリーブ６０との組み合わせであり、ケーブルスリーブ６０の一方の端部６１は、ケーブル６２とイヤフォン６３とを備えたヘッドセットに固定されている。ヘッドセットをもう一方のケーブルコネクタ１０または１００の何れかのケーブル４に公知の方法で接続してもよく、あるいはこれらのケーブルコネクタの何れかに一体化された部分としてもよい。このケーブルコネクタ６は、イヤフォンに隣接したその自由端に摺動手段がないものとして図示されているが、イヤフォンケーブル６２を包囲するためにケーブルスリーブ６０の自由端を引っ張り易くするようなグリップ手段を具備してもよい。ケーブルの絡まりを防止するためにケーブルスリーブ６０が伸長された状態が破線で示され、ケーブルの露出状態が実線で示されている。
【００３９】
次に、図１から図５を参照してケーブルコネクタ１０、１００の機能を説明する。摺動手段３０、３００を互いに引き離すと、ケーブルスリーブ２０、２００は（図１および図３に示すように）長手方向に延長および／または延伸されるが、さらに別の実施形態においては、図５の右図に破線で示されているケーブルスリーブ６０の右端を引っ張ってケーブル６１に被せると、ケーブルスリーブ６０は長手方向に延長される。ケーブルの両端を互いに引き離すと、管状のケーブルスリーブ２０、２００、６０はつぶれるか、圧縮されるか、または折り畳まれる。すなわち、（図２、図４に示されているように、および図５の右図に実線で示されているように）長手方向に短くなる。これらの実施形態の設計は、ケーブル４の手動延長を容易にする。すなわち、ケーブルの両端、この場合はコネクタ４０、５０、を互いに引き離すと、管、すなわちケーブルスリーブ２０、２００、の内部で重なり合っているケーブル長の部分の長さが短くなり、ケーブルスリーブの内部で短くなったこれらのケーブル部分の長さがケーブルスリーブの外側のケーブルの長さに追加されて、ケーブル４の全長が延長または伸長される。これらの実施形態の設計は、同時に、ケーブルの手動短縮、すなわち逆の効果、も容易にする。すなわち、ケーブルスリーブ２０、２００の機能について上で説明したように摺動手段３０、３００を互いに引き離すことによって伸長するケーブルスリーブの内部で重なり合う長さが増えるため、ケーブル４の全長が短かくなる。これにより、ユーザはケーブル長をその所望の使用量に合わせることができる一方で、ケーブルの絡まりを防止できるため、ケーブル長が容易に個人化され、さらにポケット、ハンドバッグ、または同様の収納場所への収納およびそこからの取り出しが円滑かつ容易に行われうる。図３、図４、および図５において、個々の矢印は、スリーブ２０、２００、６０の可動方向を示す。
【００４０】
ケーブルコネクタ１０、１００の一部の実施形態においては、ケーブルスリーブ２０、２００を長手方向に分離しうる、すなわち、スリーブは複数の貫通孔を備えうる。スリーブは、少なくとも２つの独立した溝またはリードスルーを一方の端部２０Ａ、２００Ａからもう一方の端部２０Ｂ、２００Ｂまで備えうる。この場合、各溝は、ケーブル４用の１つの電路を形成する。すなわち、単一回路線を形成する各溝に複数のケーブル長が通されることはなく、スリーブ２０、２００の断面は二筒（不図示）または図７に示されているように三筒にしうる。ケーブル長の溝の長手方向の分離は、スリーブが織物、プラスチック、またはゴムから成る場合は縫い付けまたは付着、例えば接着、によって行ってもよく、あるいは１つの大きなスリーブまたは管を貫通する２つ以上の小さなスリーブまたは管をこの大きなスリーブまたは管に装備することによって行ってもよい。
【００４１】
本発明による各実施形態のケーブルコネクタ１０、１００、６において、ケーブルスリーブ２０、２００、６０は、内在または一体化された弾性または復元力を有する。この弾性は、弾性部材または可撓性材料、例えばリングまたは他の構造の形態のばね、をスリーブに装備することによって、あるいは綿とエラスタン（Ｅｌａｓｔａｎ）、すなわちスパンデックス（Ｓｐａｎｄｅｘ）またはライクラ（Ｌｙｃｒａ）、とで作られた織物など、それぞれ異なる特徴を有する複数の材料またはさまざまな材料層を組み合わせることによって実現されうる。他の実施形態において、ケーブルスリーブを皮革または、合成ゴムなどの高分子材料、または織物、例えば合成繊維および／または織布、で作成してもよい。適した合成ゴムの一例は、ネオプレン（登録商標）である。ネオプレンは、デュポン・パフォーマンス・エラストマー（ＤｕＰｏｎｔ  Ｐｅｒｆｏｒｍａｎｃｅ  Ｅｌａｓｔｏｍｅｒｓ）社製の合成ゴムの商標である。
【００４２】
ケーブルスリーブ２０、２００は、ケーブル４の周囲に巻き付ける閉じた管またはスリーブを形成するために、対向する２つの縁線を互いに着脱可能に接続する締結手段をこの２つの縁線に沿って有する織布状片（不図示）でもよい。一部の実施形態において締結手段は少なくとも１つのスナップを備え、別の実施形態においては例えばベルクロ（Ｖｅｌｃｒｏ（登録商標））締結手段を備えることもできる。
【００４３】
開示されている各実施形態において、細長いスリーブ２０、２００は、閉じた管の形態である。
【００４４】
特定の一実施形態に言及して本発明を上で説明した。当業者は多くの変更を行うことができる。上記の実施形態は単なる例示的実施例として説明されており、本発明は変更可能であり、詳細な説明に示されているような携帯型電子装置だけでなく、多くの異なる製品との併用が可能である。本発明のさまざまな特徴は、記載されている組み合わせ以外の組み合わせでも組み合わせ可能である。本発明は、添付の特許請求の範囲によってのみ限定される。
【図１】
0005337880.tif 000002
【図２】
0005337880.tif 000003
【図３】
0005337880.tif 000004
【図４】
0005337880.tif 000005
【図５】
0005337880.tif 000006
【図６】
0005337880.tif 000007
【図７】
0005337880.tif 000008